(57)【要約】      （修正有）【課題】音波を低周波領域に向けて拡張するとともに、低周波音響効果を高める改良型スピーカ構造を提供する。【解決手段】スピーカ単体１０と、共振部本体２０と、少なくとも一つの導音部３０とを備える。共振部本体２０は共振ダイアフラム２１０と、共振ダイアフラムフレーム２２０とを備えており、導音部３０は第１の導音体３１０と、第２の導音体３２０と、バックユニット３３０とを備えている。スピーカ単体１０、共振部本体２０及び少なくとも一つの導音部３０を結合することで密閉した音室を形成しており、スピーカ単体１０が前方向音波及び案内音波を発生すると、前方向音波が共振ダイアフラム２１０を振動させて低周波音響効果を向上し、そして案内音波が音室内の定常波を導音部３０の底部にガイドして後方向音波を形成して、音域に発生するノイズを低減する。【選択図】図１
0003190578.tif 000002
【実用新案登録請求の範囲】
【請求項１】
フレームと、コーン紙と、ヨークと、マグネットユニットと、ボイスコイルと、支柱とを備えたスピーカ単体と、
共振ダイアフラムと、共振ダイアフラムフレームとを備え、前記共振ダイアフラムの一端は前記フレームに結合されることで前記スピーカ単体の周囲に環設され、そして前記共振ダイアフラムの他端は前記共振ダイアフラムフレーム上に設けられている、共振部本体と、
第１の導音体と、第２の導音体と、バックユニットとを備えており、前記第１の導音体は内側に突出した中空の第１の突出構造を有するとともに前記第２の導音体の上に対応して設けられており、前記第２の導音体は外側に突出した中空の第２の突出構造を有するとともに前記第１の導音体を対応して載置しており、そして前記第１の突出構造と前記第２の突出構造とは互いに実質的には接触しておらず、前記第１の導音体と前記第２の導音体とで構成される空間は共振室を形成しており、前記第２の導音体の底部には開口部が設けられるとともに、前記第２の導音体の上端部両端は前記共振ダイアフラムフレームに環状で接合しており、前記バックユニットは前記開口部に互いに連通している、少なくとも一つの導音部と、を具備した改良型スピーカ構造であって、
前記改良型スピーカ構造は前記スピーカ単体、前記共振部本体及び前記少なくとも一つの前記導音部を結合することで密閉した音室を形成しており、前記スピーカ単体が前方向音波及び案内音波を発生すると、前記前方向音波は前記音室内で伝搬するとともに後方向音波を形成して、開口部を通過して前記バックユニットを振動させて対応する音声を振動発生する、ことを特徴とする改良型スピーカ構造。
【請求項２】
前記スピーカ単体のフレームが上部結合部と下部結合部とを有しており、前記コーン紙が前記上部結合部に設けられるとともにセンター部を有しており、しかも前記センター部の中央には貫通穴が設けられており、前記ヨークが前記下部結合部に設けられており、前記マグネットユニットがマグネットと、フロントプレートとを備えており、前記マグネットユニットが前記ヨーク上に設けられており、前記ボイスコイルが前記コーン紙の底面に環設されており、前記支柱が第１の端面と第２の端面とを有しており、前記第１の端面が前記フロントプレートの上方に配置され、凹部を有するとともに前記コーン紙の前記センター部を支持及び固定しており、前記第２の端面には前記フロントプレートが結合されている、ことを特徴とする請求項１に記載の改良型スピーカ構造。
【請求項３】
前記ヨークの内側円環面が第１の磁気作用面と第２の磁気作用面とを有しており、前記第１の磁気作用面が前記ヨークの垂直側の前記内側円環面に対して前記フロントプレートに向けて延出するとともに、前記第２の磁気作用面が前記ヨークの底部に沿って水平方向に両側に延出して切欠きを形成している、ことを特徴とする請求項２に記載の改良型スピーカ構造。
【請求項４】
前記フロントプレートの前記フロントプレート端面が前記マグネットの前記マグネット端面に対して外側に延出している、ことを特徴とする請求項３に記載の改良型スピーカ構造。
【請求項５】
前記第１の磁気作用面と前記フロントプレートの前記フロントプレート端面とで磁気隙間を形成している、ことを特徴とする請求項４に記載の改良型スピーカ構造。
【請求項６】
前記磁気隙間が前記ボイスコイルを収容するためのものである、ことを特徴とする請求項５に記載の改良型スピーカ構造。
【請求項７】
前記フロントプレートが導磁性である、ことを特徴とする請求項５に記載の改良型スピーカ構造。
【請求項８】
前記ボイスコイルが電磁コイルを更に備えた、ことを特徴とする請求項６に記載の改良型スピーカ構造。
【請求項９】
前記スピーカ単体が固定柱を更に備えており、前記固定柱は下端面を有しており、前記固定柱の前記下端面は前記コーン紙の前記貫通穴を貫通して前記支柱の前記凹部内に固定される、ことを特徴とする請求項２に記載の改良型スピーカ構造。
【請求項１０】
前記スピーカ単体が、前記固定柱に嵌着される防塵カバーをまた更に備えた、ことを特徴とする請求項９に記載の改良型スピーカ構造。
【請求項１１】
前記共振ダイアフラムが連続した円弧状、波形状及び凹凸状構造のうちのいずれかである、ことを特徴とする請求項１に記載の改良型スピーカ構造。
【請求項１２】
前記共振ダイアフラムが前記スピーカ単体に一体成形される、ことを特徴とする請求項１１に記載の改良型スピーカ構造。
【請求項１３】
前記突出構造がフィン状構造又はリブ状構造である、ことを特徴とする請求項１に記載の改良型スピーカ構造。
【請求項１４】
前記バックユニットが連続した円弧状、波形状及び凹凸状構造のうちのいずれかである、ことを特徴とする請求項１に記載の改良型スピーカ構造。
【請求項１５】
前記バックユニットが通気性又は共振を発生することが可能な材料である、ことを特徴とする請求項１４に記載の改良型スピーカ構造。
【請求項１６】
前記共振室が前記開口部に連通している、ことを特徴とする請求項１に記載の改良型スピーカ構造。
【請求項１７】
前記共振室がラッパ状である、ことを特徴とする請求項１６に記載の改良型スピーカ構造。
【考案の詳細な説明】
【技術分野】
【０００１】
本考案は改良型スピーカ構造に関し、とりわけ音波を低周波領域に向けて拡張するとともに、低周波音響効果を高める改良型スピーカ構造に関する。
【背景技術】
【０００２】
従来のスピーカの組み合わせ構造では、ハウジングの前方に開口部が設けられており、そして後方には磁界ユニットが収容配設されており、磁界ユニットの中間にはボイスコイルが配置されており、ハウジングの開口部とボイスコイルとの間には共振ダイアフラムが接着して設けられているが、スピーカを長時間使用すると発熱により接着剤が劣化するという問題が発生しかねない。また、スピーカの音質は優れているものの組み立てでの体積が大きくなり、もし関連するオーディオ製品に組み付けなければならないときには、相対的に小型化が必須になるが、これでは従来のスピーカ構造の設計に支障を来し、その全体的な組み付けもかなり高度にならなければ、発せられる音響効果でも十分に共振しない。
【０００３】
特許文献１ではスピーカ構造を開示しており、導流板を有するボトム筒にて、前記ボトム筒の表面に設けられた導流板を用いて、オーディオ製品又はデスクトップ型パソコンのスピーカ装置内部にて流れる空気が、前記導流板で形成される空気流路にて流れることで、低音効果を高めるものであるが、このアイデアの技術特徴により生じる効果はさほど顕著ではない。
【０００４】
よって、上記した様々な欠点に鑑み、本考案では、共振ダイアフラムとスピーカ単体とを一体成形の射出方式とすることで、前記共振ダイアフラムが発熱して接着剤が劣化するという問題を解決する、改良型スピーカ構造を提供する。また、本考案はさらにスピーカ単体、共振部本体及び少なくとも一つの導音部を結合して密閉した音室を形成することで、前記スピーカ単体が発生した前方向及び後方向音波は低周波領域に向けて拡張する効果を持たせるとともに、これにより更に優れた低周波音響効果を得ることができる。
【０００５】
よって本考案では上記した欠点に鑑み、従来技術における欠点を解決すべく、改良型スピーカ構造を提案するものである。
【０００６】
【特許文献１】台湾実用新案公告第Ｍ４０１９４２号。
【考案の概要】
【考案が解決しようとする課題】
【０００７】
本考案の主な目的は、スピーカ単体、共振部本体及び少なくとも一つの導音部を結合することで密閉した音室を形成する改良型スピーカ構造を提供するところにある。スピーカ単体が前方向音波及び案内音波を発生すると、前記案内音波が前記音室内の定常波を前記共振室にガイドし、後方向音波を形成して、優れた音色を得る。
【０００８】
本考案の他の目的は、前記前方向及び前記後方向音波のガイド距離の長さを延長することで、音波に低周波領域に向けて拡張する効果を持たせることができる改良型スピーカ構造を提供するところにある。
【０００９】
本考案の更に他の目的は、前記前方向及び前記後方向音波が圧縮されて前記共振ダイアフラム及びバックユニットを振動させる力を増加することで、更に優れた低周波音響効果を得る改良型スピーカ構造を提供するところにある。
【課題を解決するための手段】
【００１０】
本考案はスピーカ単体と、共振部本体と、少なくとも一つの導音部とを備えた改良型スピーカ構造を提供するものである。前記スピーカ単体はフレームと、コーン紙と、ヨークと、マグネットユニットと、ボイスコイルと、支柱とを備えている。前記共振部本体は共振ダイアフラムと、共振ダイアフラムフレームとを備えており、前記共振ダイアフラムの一端は前記フレームに結合されることで前記スピーカ単体の周囲に環設され、そして前記共振ダイアフラムの他端は前記共振ダイアフラムフレーム上に設けられている。前記導音部は第１の導音体と、第２の導音体と、バックユニットとを備えている。このうち、前記第１の導音体は内側に突出した中空の第１の突出構造を有するとともに前記第２の導音体の上に対応して設けられている。前記第２の導音体は外側に突出した中空の第２の突出構造を有するとともに前記第１の導音体を対応して載置しており、そして前記第１の突出構造と前記第２の突出構造とは互いに実質的には接触しておらず、前記第１の導音体と前記第２の導音体とで構成される空間は共振室を形成しており、前記第２の導音体の底部には開口部が設けられるとともに、前記第２の導音体の上端部両端は前記共振ダイアフラムフレームに環状で接合しており、前記バックユニットは前記開口部に互いに結合している。
【図面の簡単な説明】
【００１１】
【図１】本考案の改良型スピーカ構造の一実施例の概略図である。
【図２】本考案の改良型スピーカ構造における導音部の平面図である。
【図３】本考案の改良型スピーカ構造の他の実施例の概略図である。
【図４】本考案の改良型スピーカ構造の更に他の実施例の概略図である。
【考案を実施するための形態】
【００１２】
本考案の目的、特徴及び効果が十分に理解できるようにするため、以下の具体的な実施例により、しかも別紙の図面を合わせて、本考案に以下のような詳細な説明を行う。
【００１３】
本考案の改良型スピーカ構造の一実施例の概略図である図１を参照されたい。前記改良型スピーカ構造１はスピーカ単体１０と、共振部本体２０と、少なくとも一つの導音部３０とを備えている。前記改良型スピーカ構造１は前記スピーカ単体１０、前記共振部本体２０及び前記少なくとも一つの前記導音部３０を結合することで密閉した音室４０を形成している。
【００１４】
前記スピーカ単体１０はフレーム１１０と、コーン紙１２０と、ヨーク１３０と、マグネットユニット１４０と、ボイスコイル１５０と、支柱１６０とを備えている。このうち、前記スピーカ単体１０のフレーム１１０は上部結合部１１２と下部結合部１１４とを有している。前記コーン紙１２０は前記上部結合部１１２に設けられるとともにセンター部１２２を有しており、しかも前記センター部１２２の中央には貫通穴１２４が設けられている。前記ヨーク１３０は前記下部結合部１１４に設けられている。前記マグネットユニット１４０はマグネット１４２と、導磁性であるフロントプレート１４６とを備えており、前記マグネットユニット１４０は前記ヨーク１３０上に設けられている。前記ボイスコイル１５０は前記コーン紙１２０の底面に環設されており、導電コイル１５２をさらに備えている。前記支柱１６０は第１の端面１６２と第２の端面１６６とを有しており、前記第１の端面１６２は前記フロントプレート１４６の上方に配置され、凹部１６４を有するとともに前記コーン紙１２０の前記センター部１２２を支持及び固定しており、前記第２の端面１６６には前記フロントプレート１４６が結合されており、前記支柱１６０は前記ボイスコイル１５０が垂直に運動する過程での安定性を維持して、前記ボイスコイル１５０が不用意に前記ヨーク１３０及び前記マグネットユニット１４０にぶつかるのを防止する。このうち特に注意されたいことは、前記ヨーク１３０の内側円環面１３２は第１の磁気作用面１３４と第２の磁気作用面１３６とを有しており、前記第１の磁気作用面１３４は前記ヨーク１３０の垂直側の前記内側円環面１３２に対して前記フロントプレート１４６に向けて延出するとともに、前記第１の磁気作用面１３４と前記フロントプレート１４６のフロントプレート端面１４８とで磁気隙間１４９を形成しており、前記磁気隙間１４９は前記ボイスコイル１５０を収容し、通電することで前記ボイスコイル１５０に磁界を発生させるとともに、前記磁気隙間１４９の間にて垂直運動して、ひいては前記コーン紙１２０を連動するためのものであり、前記コーン紙１２０は前記ボイスコイル１５０の連動により、さらに空気を振動させて音声を発生させる、ということである。そして前記第２の磁気作用面１３６は前記ヨーク１３０の底部に沿って水平方向に両側に延出して切欠き１３８を形成している。前記フロントプレート１４６の前記フロントプレート端面１４８は前記マグネット１４２の前記マグネット端面１４４に対して外側に延出している。
【００１５】
ところで、前記第１の磁気作用面１３４及び前記フロントプレート１４６により前記ボイスコイル１５０に通電により発生する磁力線をより集中させるとともに、前記磁気隙間１４９の磁界強度（ウェーバ）を増大させることができ、一方では、前記第２の磁気作用面１３６は、前記ボイスコイル１５０が垂直運動する過程において、磁束密度（ガウス）の損失を効果的に減らして、ひいては磁束漏れ現象を防止する、ことに注意されたい。
【００１６】
前記スピーカ単体１０は固定柱１７０と、防塵カバー（図示せず）とを更に備えており、前記固定柱１７０は下端面１７２を有しており、前記固定柱１７０の前記下端面１７２は前記コーン紙１２０の前記貫通穴１２４を貫通して前記支柱１６０の前記凹部１６４内に固定される。前記防塵カバーは前記固定柱１７０に嵌着することで、埃や塵が前記スピーカ単体１０に入り込むのを防止する。
【００１７】
前記共振部本体２０は共振ダイアフラム２１０と、共振ダイアフラムフレーム２２０とを備えており、前記共振ダイアフラム２１０の一端は前記フレーム１１０に結合されることで前記スピーカ単体１０の周囲に環設され、そして前記共振ダイアフラム２１０の他端は前記共振ダイアフラムフレーム２２０上に設けられている。このうち特に注意されたいことは、前記共振ダイアフラム２１０は連続した円弧状、波形状及び凹凸状構造のうちのいずれかとすることができ、しかも前記共振ダイアフラム２１０は前記スピーカ単体１０に一体成形することができる、ということである。前記スピーカ単体１０が前方向音波５０を発生すると、前記音室４０によって前記前方向音波５０のガイド距離の長さを延長して、前記前方向音波５０に低周波領域に向けて拡張する効果を持たせることができるとともに、前記前方向音波５０が圧縮されて前記共振ダイアフラム２１０を振動させる力を増加させることで、更に優れた低周波音響効果を得ることができる。なお、その他の実施例において、前記スピーカ単体１０は、異なる形態に応じて、交換することができ、（例えば、フール  フリクエンシー  スピーカ単体、高音用スピーカ単体、低音用スピーカ単体等）、それに粘着によって、前記共振ダイアフラム２１０の上方に固定することで、異なる音域及び可聴周波数の効果を達している。
【００１８】
前記導音部３０は第１の導音体３１０と、第２の導音体３２０と、バックユニット３３０とを備えている。前記第１の導音体３１０は内側に突出した中空の第１の突出構造３１２を有するとともに前記第２の導音体３２０の上に対応して設けられている。前記第２の導音体３２０は外側に突出した中空の第２の突出構造３２２を有するとともに前記第１の導音体３１０を対応して載置しており、そして前記第１の突出構造３１２と前記第２の突出構造３２２とは互いに実質的には接触しておらず、前記第１の導音体３１０と前記第２の導音体３２０とで構成される空間はラッパ状の共振室３４０を形成しており、前記第２の導音体３２０の底部には開口部３２４が設けられるとともに、前記第２の導音体３２０の上端部両端は前記共振ダイアフラムフレーム２２０に環状で接合している。前記バックユニット３３０は通気性又は共振を発生することが可能な材料であるとともに前記開口部３２４に互いに連通しており、しかも連続した円弧状、波形状及び凹凸状構造のうちのいずれかとすることができる。このうち、前記第１の突出構造３１２及び前記第２の突出構造３２２はフィン状構造又はリブ状構造とすることができる。特に注意されたいことは、前記スピーカ単体１０が案内音波７０を発生すると、前記案内音波７０を前記共振室３４０構造にガイドすることで、前記案内音波７０は前記音室４０内での定常波を低減して、優れた音色を得ることができるうえ、前記案内音波７０のガイド距離の長さを延長して、前記案内音波７０に低周波領域に向けて拡張する効果を持たせるとともに、前記後方向音波６０を形成し、さらには後方向音波６０が圧縮されて前記バックユニット３３０を振動させる力を増加することで、更に優れた低周波音響効果を得ることができる、ということである。
【００１９】
本考案の改良型スピーカ構造における導音部の平面図である図２を参照されたい。このうち前記第１の導音体３１０は前記第２の導音体３２０の上に対応して設けられている。前記第２の導音体３２０は第１の導音体３１０を対応して載置しており、そして前記第１の導音体３１０と前記第２の導音体３２０とで構成される空間は前記共振室３４０を形成している。
【００２０】
本考案の改良型スピーカ構造の他の実施例の概略図である図３を参照されたい。本実施例においては前記スピーカ単体１０、前記共振部本体２０の構造構成、空間的な配置及び作用はいずれも図１に記載する実施例と同じであるので、ここでは別途説明しない。本実施例と図１に記載する実施例との相違点は、前記導音部３０の垂直方向上での空間的な配置関係が図１に記載する実施例とは異なるという点である。このうち、前記第１の導音体３１０の一端は前記共振ダイアフラムフレーム２２０の一端に結合されており、前記第１の導音体３１０の他端は水平方向で両側に延出して前記スピーカ単体１０の下方を回り込むとともに、前記第２の導音体３２０の一端底部に結合されており、前記第１の導音体３１０は外側に突出した中空の前記第１の突出構造３１２を有するとともに前記第２の導音体３２０を対応して載置している。前記第２の導音体３２０の他端上端部は前記共振ダイアフラムフレーム２２０の他端に結合されるとともに、内側に突出した中空の第２の突出構造３２２を有するうえ、前記第１の導音体３１０の上方に対応して設けられており、そして同様に前記第１の突出構造３１２と前記第２の突出構造３２２とは互いに実質的には接触しておらず、前記第１の導音体３１０と第２の導音体３２０とで構成される空間も同じく共振室３４０を形成しており、前記第２の導音体３２０の上端部には開口部３２４が設けられている。前記バックユニット３３０は前記開口部３２４に互いに連通している。特に注意されたいことは、前記スピーカ単体１０が前記案内音波７０を発生すると、前記案内音波７０を前記共振室３４０構造にガイドすることで、前記案内音波７０は前記音室４０内での定常波を低減して、優れた音色を得ることができるうえ、前記案内音波７０のガイド距離の長さを延長して、前記案内音波７０が低周波領域に向けて拡張する効果を持たせるとともに、前記後方向音波６０を形成し、さらには前記後方向音波６０が圧縮されて前記バックユニット３３０を振動させる力を増加することで、更に優れた低周波音響効果を得ることができる、ということである。
【００２１】
本考案の改良型スピーカ構造の更に他の実施例の概略図である図４を参照されたい。本実施例においては前記スピーカ単体１０、前記共振部本体２０の構造構成、空間的な配置及び作用はいずれも図１に記載する実施例と同じであるので、ここでは別途説明しない。本実施例と図１に記載する実施例との相違点は、図１に記載する前記導音部３０は垂直式配置で前記スピーカ単体１０の下方を回り込むようになっているが、本実施例における導音部３０は水平式配置で前記スピーカ単体１０の側辺を回り込んでいるという点である。このうち、前記第１の導音体３１０は水平方向で前記スピーカ単体１０から離れて突出した中空の前記第１の突出構造３１２を有するとともに、前記第２の導音体３２０における前記スピーカ単体１０に近接する側に対応して設けられている。前記第２の導音体３２０は水平方向で前記スピーカ単体１０に突出した中空の第２の突出構造３２２を有するとともに前記第１の導音体３１０における前記スピーカ単体１０から離れた側に対応して設けられており、そして前記第１の突出構造３１２と前記第２の突出構造３２２とは互いに実質的には接触しておらず、前記第１の導音体３１０と第２の導音体３２０とで構成される空間も同じく共振室３４０を形成しており、前記第２の導音体３２０の底部にもまた前記開口部３２４が設けられているとともに、前記第２の導音体３２０の上端部両端は前記共振ダイアフラムフレーム２２０に環状で接合している。前記バックユニット３３０はまた前記開口部３２４に互いに連通している。特に注意されたいことは、前記スピーカ単体１０が前記案内音波７０を発生すると、前記案内音波７０を前記共振室３４０構造にガイドすることで、前記案内音波７０は前記音室４０内での定常波を低減して、優れた音色を得ることができるうえ、前記案内音波７０のガイド距離の長さを延長して、前記案内音波７０に低周波領域に向けて拡張する効果を持たせるとともに、前記後方向音波６０を形成し、さらには前記後方向音波６０が圧縮されて前記バックユニット３３０を振動させる力を増加することで、更に優れた低周波音響効果を得ることができる、ということである。
【００２２】
以上、本考案では詳細な説明を行ったが、上記したものは、単に本考案の好ましい実施例に過ぎず、当業者であれば、これら実施例は本考案を記述するためのものに過ぎず、本考案の範囲を限定するものとして解釈すべきではないということは明確に理解するはずである。本考案のクレームによりなされる均等の変化及び付加は、いずれも本考案のクレームの範囲に含まれるものである。
【符号の説明】
【００２３】
１      改良型スピーカ構造
１０    スピーカ単体
１１０  フレーム
１１２  上部結合部
１１４  下部結合部
１２０  コーン紙
１２２  センター部
１２４  貫通穴
１３０  ヨーク
１３２  内側円環面
１３４  第１の磁気作用面
１３６  第２の磁気作用面
１３８  切欠き
１４０  マグネットユニット
１４２  マグネット
１４４  マグネット端面
１４６  フロントプレート
１４８  フロントプレート端面
１４９  磁気隙間
１５０  ボイスコイル
１５２  導電コイル
１６０  支柱
１６２  第１の端面
１６４  凹部
１６６  第２の端面
１７０  固定柱
１７２  下端面
２０    共振部本体
２１０  共振ダイアフラム
２２０  共振ダイアフラムフレーム
３０    導音部
３１０  第１の導音体
３１２  第１の突出構造
３２０  第２の導音体
３２２  第２の突出構造
３２４  開口部
３３０  バックユニット
３４０  共振室
４０    音室
５０    前方向音波
６０    後方向音波
７０    案内音波
【図１】
0003190578.tif 000003
【図２】
0003190578.tif 000004
【図３】
0003190578.tif 000005
【図４】
0003190578.tif 000006